(57)【要約】【課題】  電子アルバムに含まれる画像データに必ず撮像者情報をアルバム作成者に付加させるようにし、これにより撮像者情報により全ての画像データを検索可能にした電子アルバム作成システムを提供する。【解決手段】  電子アルバム作成システムは、画像データを取得する取得部と、取得部で取得した画像データに撮像者情報が対応付けてあるか否かを判定する撮像者情報対応付け判定部３６と、撮像者情報が対応付けられてない画像データに対応する画像を表示する表示部と、表示部に表示された画像を参照しながらアルバム作成者に撮像者情報を入力させる入力部と、予め撮像者情報が対応付けられた画像データおよび入力部を介して撮像者情報が対応付けられた画像データに基づいて電子アルバムを作成する電子アルバム作成部３４と、を備える。【選択図】図４
2006164043.tif 000002
【特許請求の範囲】
【請求項１】
撮像した画像データに基づいて電子アルバムを作成するためのシステムにおいて、
画像データを取得する取得部と、
取得部で取得した画像データに撮像者情報が対応付けてあるか否かを判定する撮像者情報対応付け判定部と、
撮像者情報対応付け判定部により撮像者情報が対応付けられていないと判定された画像データに対応する画像を表示する表示部と、
表示部に表示された画像を参照しながらアルバム作成者に撮像者情報を入力させる入力部と、
予め撮像者情報が対応付けられた画像データおよび入力部を介して撮像者情報が対応付けられた画像データに基づいて電子アルバムを作成する電子アルバム作成部と、
を備えた電子アルバム作成システム。
【請求項２】
ユーザが移動中に撮像した画像データに基づいて電子アルバムを作成するためのシステムにおいて、
時刻を対応付けたユーザの位置情報、並びに、撮像時刻または撮像位置を対応付けた複数の画像データを取得する取得部と、
取得部で取得した位置情報に基づいてユーザが移動した経路に関する移動経路データを作成する移動経路作成部と、
取得部で取得した画像データに撮像者情報が対応付けてあるか否かを判定する撮像者情報対応付け判定部と、
撮像者情報対応付け判定部により撮像者情報が対応付けられていないと判定された画像データに対応する画像を表示する表示部と、
表示部に表示された画像を参照しながらアルバム作成者に撮像者情報を入力させる入力部と、
予め撮像者情報が対応付けられた画像データおよび入力部を介して撮像者情報が対応付けられた画像データと移動経路作成部で作成した移動経路データとに基づいて、画像データを対応付けた移動経路データを含む電子アルバムを作成する電子アルバム作成部と、
を備えた電子アルバム作成システム。
【請求項３】
取得部はさらに、一つまたはそれ以上の第２の画像データを取得し、
各第２の画像データに撮像時刻および撮像位置の少なくとも一方が対応付けられているか否かを判定する対応付け判定部を備え、
表示部は、対応付け判定部により撮像時刻および撮像位置ともに対応付けられていないと判定された第２の画像データに対応する画像を表示するとともに、入力部は、撮像時刻および撮像位置ともに対応付けられていない第２の画像データの撮像時刻および撮像位置の少なくとも一方をアルバム作成者に入力させるようにしてあり、
システムは、入力部を介して入力させた撮像時刻および撮像位置の少なくとも一方に基づいて、対応する第２の画像データと入力部を介して入力された撮像時刻および撮像位置の少なくとも一方との対応関係を記憶する対応関係記憶部をさらに備え、
撮像者情報対応付け判定部は、取得部で取得した第２の画像データに撮像者情報が対応付けてあるか否かを判定し、表示部は、撮像者情報対応付け判定部により撮像者情報が対応付けられていないと判定された第２の画像データに対応する画像を表示し、入力部は、表示部に表示された画像を参照しながらアルバム作成者に撮像者情報を入力させ、
電子アルバム作成部は、予め撮像者情報が対応付けられた画像データおよび入力部を介して撮像者情報が対応付けられた画像データと移動経路作成部で作成した移動経路データとに加えて、予め撮像者情報が対応付けられた第２の画像データ、入力部を介して撮像者情報が対応付けられた第２の画像データ、および対応関係記憶部に記憶された対応関係に基づいて、電子アルバムを作成することを特徴とする請求項２記載の電子アルバム作成システム。
【発明の詳細な説明】
【技術分野】
【０００１】
本発明は、複数の画像データに基づいて電子アルバムを作成するためのシステムに関する。本発明は特に、ユーザが画像データを撮像しながら旅行をした場合に各画像データを移動経路上の位置に対応付けた電子アルバムを作成するシステムに関する。
【背景技術】
【０００２】
従来、ユーザが旅行（例えば、ドライブ旅行など）の途中に撮像した画像データを移動経路（旅行経路）上の位置に対応付けてなる電子アルバムを作成するためのシステムが種々提案されている。こうしたシステムとして、デジタルカメラなどで撮像した画像データとユーザが通った移動経路とともに入力させ、移動経路を表示させたモニタをアルバム作成者が参照しながら移動経路上の位置と各画像データを対応付けるようにしたものが知られている。
【０００３】
こうして作成した電子アルバムを多数記録メディア（例えばＤＶＤ）に蓄積する場合に所望の画像データの検索を容易に行うよう、画像データに所定の情報を付加し、ユーザが指定した検索キーワードに対応する情報が付加された画像データに対応する画像または該画像データが保存されたディレクトリをモニタに表示できるようにするのが一般的である。付加情報としては、画像データの撮像時刻、撮像位置、撮像者などの情報である。
【０００４】
特許文献１には、付加情報としてユーザに画像データに撮像者情報を付加させ、各撮像者の画像データを電子アルバムの異なるページに対応させる方法が記載されている。
【特許文献１】特許３５２８２１４号
【発明の開示】
【発明が解決しようとする課題】
【０００５】
上記特許文献１では、ユーザに携帯させる画像撮像部（カメラユニット）に撮像者入力部を設けて撮像者情報を入力させるようにしているが、上記画像撮像部以外で撮像した画像データについては、全てに撮像者情報が付加されているとは限らず、この場合、多数の電子アルバムが蓄積された記録メディアに撮像者情報に基づいて検索できない画像データが存在することになる。
【０００６】
そこで、本発明は、電子アルバムに含まれる画像データに必ず撮像者情報をアルバム作成者に付加させるようにし、これにより撮像者情報により全ての画像データを検索可能にした電子アルバム作成システムを提供することを目的とする。
【課題を解決するための手段】
【０００７】
上記目的を達成するために、本発明に係る電子アルバム作成システムの一態様は、
撮像した画像データに基づいて電子アルバムを作成するためのシステムにおいて、
画像データを取得する取得部と、
取得部で取得した画像データに撮像者情報が対応付けてあるか否かを判定する撮像者情報対応付け判定部と、
撮像者情報対応付け判定部により撮像者情報が対応付けられていないと判定された画像データに対応する画像を表示する表示部と、
表示部に表示された画像を参照しながらアルバム作成者に撮像者情報を入力させる入力部と、
予め撮像者情報が対応付けられた画像データおよび入力部を介して撮像者情報が対応付けられた画像データに基づいて電子アルバムを作成する電子アルバム作成部と、
を備えることを特徴とする。
【発明の効果】
【０００８】
本発明の一態様によれば、ある画像データに撮像者情報が対応付けられていない場合、アルバム作成者に撮像者情報を入力させた上で電子アルバムを作成するので、該電子アルバムに含まれる画像データを撮像者情報に基づいて検索することが可能である。
【発明を実施するための最良の形態】
【０００９】
以下、添付図面を参照して本発明の実施の形態を説明する。以下では、好適な実施形態としてユーザが移動（旅行）中に撮像した画像データに基づいて電子アルバムを作成するシステムを説明するが、本発明はこれに限定されない。
【００１０】
実施の形態１
図１を参照して、本発明に係る実施の形態１である電子アルバム作成システム２は、ユーザ（旅行者）が携帯した携帯端末４で撮像した画像データに基づいて電子アルバムを作成するためのものである。
【００１１】
図２に示すように、携帯端末４は、全体を制御する制御部６と、画像データを撮像するための撮像部８と、ボタンなどを有し撮像者の撮像指令を受け付けるための入力部１０とを備える。制御部６は、入力部１０からの撮像指令を表す信号を受けて撮像部８に制御信号を送出し、撮像部は静止画像データおよび／または動画像データを撮像するようにしてある。画像データは記憶部１２に記憶されるようにしてある。制御部６には、現在時刻の情報を送出するクロック１４が接続され、これにより記憶部１２には、画像データが撮像時刻と対応付けて記憶される。記憶部１２は、携帯端末から取り外し可能な記録メディア（例えば、フラッシュメモリ）から構成され、ドライブ装置１５によりデータが記録されるようにしてある。
【００１２】
制御部６には、携帯端末４の位置情報を取得するための位置情報取得部１６が接続されている。位置情報取得部１６には無線受信部１８が接続されている。受信部１８は、受信アンテナ、増幅器、ミキサ、復調器、復号化回路などから構成されており、ＧＰＳ衛星、準天頂衛星、擬似衛星などの位置情報提供装置が送信する位置情報を受信するためのものである。位置情報取得部１６は、受信部１８で受信した位置情報に基づいて携帯端末４の位置を検出するようになっている。携帯端末４の位置情報は、旅行者（ユーザ）の位置情報として用いられる。位置情報取得部１６は、クロック１４から送出される現在時刻情報に基づいて、適当な時間間隔で旅行者位置情報を制御部６に送出するようになっている。制御部６は、クロック１４から送出される現在時刻情報に基づいて、位置情報取得部１６からの旅行者位置情報を時刻に対応付けて記憶部１２に記憶するようにしてある。
【００１３】
携帯端末４は、例えば、ＧＰＳ機能を備えた、デジタルカメラやカメラ付き携帯電話である。
【００１４】
電子アルバム作成システム２は、電子アルバム作成を行う者との対話処理によって電子アルバムを作成するためのコンピュータで、図３に示すように、システム全体を制御する制御部２０と、複数の挿入口を有し挿入口の一つに挿入された記録メディア１２に記録された画像データおよび旅行者位置情報を読み出すためのドライブ装置２２と、キーボード、マウスなどを有しシステム２を用いてアルバム作成者からの各種指令を受け付けるための入力部２４と、各種情報を表示するためのモニタ（表示部）２６とを備える。モニタ２６の表示画面上にタッチパネルを設け、これを入力部２４としてもよい。本実施形態において、電子アルバムの作成者は、通常、旅行者（ユーザ）本人であるが、別の人でもよい。
【００１５】
制御部２０のブロック図である図４を参照して、制御部は、所定の表示画面を表示させるようにモニタ２６を制御するための表示制御部２８を有する。表示制御部２８は、ドライブ装置２２に記録メディア１２が挿入された状態で、アルバム作成者から所定の指令を入力部２４が受け付けると、アルバム作成者に電子アルバムを作成するための「アルバム作成モード」を選択させるメニュー画面（図示せず）を表示させるようにしてある。
【００１６】
アルバム作成者が入力部２４を介して「アルバム作成モード」を選択すると、制御部２０は以下に示すように、旅行者の移動経路上の位置と画像データを対応付けた電子アルバムの作成を行う。作成した電子アルバムのデータは、ドライブ装置２２によりドライブ装置に挿入された記録メディア３０に記録されるようにしてある。
【００１７】
制御部２０は、記録メディア１２に記憶された（ドライブ装置２２で取得した）時刻を対応付けた旅行者位置情報（端末位置情報）に基づいて旅行者の移動経路に関するデータを作成する移動経路作成部３２を備える。移動経路データは、所定の時間間隔で得られた各旅行者位置（携帯端末４の位置）（経度および緯度などの座標）および時刻と、旅行者位置の時系列的情報とを有する。時系列的情報は、例えば、ある旅行者位置（座標）から時系列的に次に古い旅行者位置（座標）までのベクトルとして表される。移動経路データは、移動経路記憶部３３（図３）に記憶されるようにしてある。
【００１８】
制御部２０はまた、移動経路記憶部３３に記憶された移動経路データおよび記録メディア１２に記憶された（ドライブ装置２２で取得した）画像データに基づいて、移動経路データと画像データを対応付けた電子アルバムを作成するための作成部３４を備える。電子アルバム作成部３４は、移動経路データの各旅行者位置（座標）および時刻並びに旅行者位置の時系列的情報と、撮像時刻が対応付けられた画像データとに基づいて、移動経路データと画像データを対応付けた電子アルバムを作成する。撮像時刻がある旅行者位置の時刻とほぼ一致していれば、該旅行者位置（座標）と画像データを対応付ける（その結果、画像データと移動経路データが対応付けられる。）。撮像時刻ｔ０が旅行者位置の時刻と異なる場合、撮像時刻ｔ０の前の旅行者位置ｐ１の時刻ｔ１と後の旅行者位置ｐ２の時刻ｔ２を用いて、移動経路データと画像データを対応付ける。例えば、位置ｐ１から位置ｐ２まで旅行者が一定速度で直線移動したと見なし、位置ｐ１と位置ｐ２を結ぶ線分を（ｔ０―ｔ１）：（ｔ２―ｔ０）に分けた位置を画像データと対応付ける（その結果、画像データと移動経路データが対応付けられる。）。
【００１９】
電子アルバム作成部３４により作成される電子アルバムは、旅行者本人などがパーソナルコンピュータなどに記録メディア３０をセットしモニタで鑑賞することになる。一例として、図５に示すように、モニタの表示画面には、移動経路Ｒとともに移動経路上にシンボル（例えば人）Ｖが表示され、シンボルが移動経路上を移動しながら移動経路上の画像データが対応付けられたある位置に到達すると、対応する画像がモニタに表示され、予め設定された再生時間が経過すると、シンボルＶが再び移動経路Ｒ上を走行し、画像データが対応付けられた次の位置に到達すると、対応する画像がモニタに表示される（言い換えれば、アルバムの鑑賞者は、画像を時系列に沿って鑑賞する。）
【００２０】
本実施形態では、各画像データは、撮像時刻の他、（電子アルバム作成部３４による移動経路データと画像データとの対応付けにより）撮像位置が対応付けられる。したがって、こうした画像データを用いて電子アルバムを作成した場合、特定の時間（例えば月日）や位置（例えば地名）に係る画像データを検索することが可能である。しかしながら、撮像者情報は、画像データに付加される場合（例えば、特許文献１と同様に携帯端末４の入力部１０を介して撮像者情報を入力したり、あるいは、携帯端末４の所有者を該端末で撮像した全ての画像データの撮像者とする。）もあれば付加されない場合もある。そこで、本実施形態では、各画像データに撮像者情報が付加されていない場合に、アルバム作成者に撮像者情報の画像データへの対応付けを促すような構成を備えている。
【００２１】
具体的に、制御部２０は、記録メディア１２に記憶された各画像データに撮像者情報が対応付けてあるか否かを判定する判定部３６を備える。表示制御部２８は、ある画像データに関し撮像者情報対応付け判定部３６により撮像者情報が対応付けられてないと判定された場合、該画像データに対応する画像をモニタ２６に表示させるようにしてある。アルバム作成者は、モニタ２６に表示された画像を参照しながら入力部２４を介して撮像者情報を入力することになる。撮像者情報が付加されていない画像の一部または全てをモニタ２６に一度に表示させるようにしてもよいし、図６に示すように一つの画像を表示させ、入力が終了すると次の画像（例えば、時系列的に次に古い画像）を表示させるようにしてもよい。ある画像に関してキーボードにより撮像者情報の入力が行われた後は、それ以降の画像に関して入力を行う場合に以前に入力が行われた撮像者情報を入力候補として表示させ、マウスにより撮像者情報を選択できるようにしてもよい。入力により、記録メディア１２に記録された全ての画像データに撮像者情報が付加されることになる（例えば、携帯端末４がデジタルカメラの場合、Ｅｘｉｆ情報に撮像者情報が追加される。）。電子アルバム作成部３４は、移動経路作成部３２で作成した移動経路データと撮像者情報が対応付けられた画像データとに基づいて、画像データを対応付けた移動経路データを含む電子アルバムを作成する。
【００２２】
電子アルバム作成処理が終了すると、表示制御部２８は終了を表す画面（図示せず）をモニタ２６に表示させるようにしてある。そして、アルバム作成者は記録メディア３０を受け取ることになる。
【００２３】
かかる構成を備えた電子アルバム作成システム２の電子アルバム作成処理の一例を説明する。まず、移動経路作成部３２は、ドライブ装置２２により記録メディア１２から読み出された、旅行者の時刻を対応付けた位置情報に基づいて移動経路データを作成する。作成された移動経路データは、移動経路記憶部３３に記憶される。次に、撮像者情報対応付け判定部３６は、記録メディア１２に記憶された各画像データに撮像者情報が対応付けてあるか否かを判定する。表示制御部２８は、ある画像データに関し撮像者情報対応付け判定部３６により撮像者情報が対応付けられてないと判定された場合、該画像データに対応する画像をモニタ２６に表示させる。アルバム作成者は、モニタ２６に表示された画像を参照しながら入力部２４を介して撮像者情報を入力する。記録メディア１２に記録された全ての画像データに撮像者情報が付加された後、電子アルバム作成部３４は、移動経路記憶部３３に記憶された移動経路データ、および、記録メディア１２に記録され、時刻および撮像者情報が対応付けられた画像データ（予め撮像者情報が対応付けられた画像データおよび入力部２４を介して撮像者情報が対応付けられた画像データ）に基づいて、移動経路データと画像データを対応付けた電子アルバムを作成する（以上のように、本実施形態では、ドライブ装置２２は、時刻を対応付けたユーザ（旅行者）の位置情報および撮像時刻を対応付けた複数の画像データを取得する取得部を構成する。）。電子アルバムはドライブ装置２２により記録メディア３０に記録される。
【００２４】
本実施形態によれば、記録メディア３０に記録された電子アルバムを構成する各画像データに撮像者情報が付加されているので、この付加情報を用いて特定の撮像者に係る画像データを検索することが可能である。
【００２５】
本実施形態では、電子アルバム作成部３４は、旅行者が携帯する１つの端末４で得られた時刻が対応付けられた画像データと時刻が対応付けられた旅行者位置情報を含む移動経路データに基づいて、画像データと移動経路データを対応付けたが（言い換えれば、時刻を対応付けた旅行者の位置情報を第１の記憶部と、撮像時刻を対応付けた複数の画像データを取得する第２の記憶部とを携帯端末４の記録メディア１２で構成する。）、時刻が対応付けられた画像データと時刻が対応付けられた旅行者位置情報を別々の携帯端末で得る（言い換えれば、上記第１および第２の記憶部を個々の携帯端末の記録メディアで構成する。）ようにしてもよい。例えば、画像データを撮像時刻に対応付けて記録するデジタルカメラと、位置情報取得部（例えば、ＧＰＳ信号受信部）およびクロックを備え旅行者位置情報を時刻に対応付けて記録する携帯電話とを用いることができる。この場合、デジタルカメラに取り外し可能に設けた画像データを記憶する記録メディアと携帯電話に取り外し可能に設けた旅行者位置情報を記憶する記録メディアを電子アルバム作成システム２のドライブ装置２２で読み出すようにする。
【００２６】
図２を参照して、携帯端末４側の制御部６に移動経路作成部を設けるとともに、位置情報取得部１６で取得した旅行者位置情報（端末位置情報）を時刻に対応付けて記憶する（記録メディア１２とは別の）記憶部を制御部６に接続し、該記憶部に記憶させた旅行者位置情報に基づいて移動経路データを作成するようにしてもよい。移動経路データは、撮像時刻が対応付けられた画像データとともにドライブ装置１５により記録メディア１２に記録される。この場合、撮像部８、クロック１４、および位置情報取得部１６は、時刻を対応付けた旅行者位置情報および撮像時刻を対応付けた複数の画像データを取得する取得部を構成する。
【００２７】
本実施形態では、撮像時刻が対応付けられた画像データを用いたが、代わりに、撮像位置が対応付けられた画像データを用いてもよい。この場合、ドライブ装置２２は、時刻を対応付けたユーザ（旅行者）の位置情報および撮像位置を対応付けた複数の画像データを取得する取得部を構成する。電子アルバム作成部３４は、時刻が対応付けられた旅行者位置情報を含む移動経路データと、撮像位置が対応付けられた画像データとを対応付ける。
【００２８】
実施の形態２
上記実施形態では、画像データに撮像時刻情報を対応付けるようにしたが（例えば、デジタルカメラのＥｘｉｆ情報に撮像時刻を含ませる）、旅行者が撮像した画像データに必ずしも撮像時刻情報が対応付けされるとは限らない。そこで、本実施形態では、電子アルバム作成システムのドライブ装置に挿入された記録メディアから読み取った画像データに時刻が対応付けられていない場合、アルバム作成者（通常、旅行者本人）に時刻の対応付けを促すようにしてある。
【００２９】
具体的に、図７を参照して、本実施形態に係るアルバム作成システムの制御部２０Ａは、制御部２０の構成要素に加えて、記録メディア１２に記憶された画像データに撮像時刻が対応付けされているか否かを判定する判定部４０を備える。撮像時刻対応付け判定部４０によりある画像データに関して時刻の対応付けがされていないと判定されると、表示制御部２８は、モニタ２６に対応する画像とともに撮像時刻の入力を促すような画面（図示せず）を表示させるようにしてある。撮像時刻はキーボードにより入力できるようにしてもよいし、日時の候補を表示させ、マウスにより撮像時刻を選択できるようにしてもよい。アルバム作成者が入力部２４を介して対応付けを行うと、画像データと撮像時刻との対応関係を表すデータは、制御部２０Ａに接続された対応関係記憶部４２（図８）に記憶されるようにしてある。また、撮像者情報対応付け判定部３６により該画像データに関して撮像者情報の対応付けがされていないと判定されると、撮像時刻の入力に続いて撮像者情報の入力を促すような画面（図６参照）を表示させ、入力部２４を介してアルバム作成者に撮像者情報の入力を行わせる。電子アルバム作成部３４は、移動経路記憶部３３に記憶された移動経路データと、対応関係記憶部４２に記憶された対応関係データと、記録メディア１２に記憶された画像データ（予めあるいは入力部２４を介して撮像者情報が対応付けられた画像データ）とに基づいて、画像データと移動経路データが対応付けられた電子アルバムを作成する。
【００３０】
本実施形態によれば、実施の形態１と同様に、記録メディア３０に記録された電子アルバムを構成する各画像データに撮像者情報が付加されているので、この付加情報を用いて特定の撮像者に係る画像データを検索することが可能である。また、画像データに撮像時刻が付加されていないものが含まれていても、該画像データを電子アルバムに含めることができる。
【００３１】
アルバム作成者は撮像時刻を入力する代わりに、撮像を行った位置の情報を入力するようにしてもよい。この場合、撮像位置と対応付けられた画像データを、各旅行者位置（座標）を含む移動経路データと対応付けることができる。
【００３２】
実施の形態３
実施の形態２では、画像データに撮像時刻が対応付けされているか否かを判定するようにしたが、撮像時刻が対応付けされていなくても撮像位置が対応付けられていれば、画像データを移動経路データと対応付けることは可能である。そこで、本実施形態では、画像データに撮像時刻と撮像位置の両方とも対応付けられていない場合に、アルバム作成者に対応付けを行わせる。
【００３３】
具体的な構成は、図７、８に示す実施の形態３と同様で、電子アルバム作成システムのドライブ装置２２（取得部）により記録メディアから読み出された画像データ（請求項３の第２の画像データに対応）に撮像時刻および撮像位置の少なくとも一方が対応付けられているか否かを対応付け判定部６０に判定させ、撮像時刻および撮像位置ともに対応付けがされていなければ、アルバム作成者（通常、旅行者本人）に撮像時刻および撮像位置の少なくとも一方の対応付けを促す画面をモニタ２６に表示させる。そして、アルバム作成者に入力部２４を介して対応付けを行わせて、画像データと撮像時刻および撮像位置の少なくとも一方との対応関係を表すデータを、対応関係記憶部６２に記憶させる。また、撮像者情報対応付け判定部３６により該画像データに関して撮像者情報の対応付けがされていないと判定されると、撮像時刻の入力に続いて撮像者情報の入力を促すような画面（図６参照）を表示させ、入力部２４を介してアルバム作成者に撮像者情報の入力を行わせる。電子アルバム作成部３４は、移動経路記憶部３３に記憶された移動経路データと、対応関係記憶部６２に記憶された対応関係データと、記録メディア１２に記憶された画像データ（予めまたは入力部２４を介して撮像者情報が対応付けられた画像データ）とに基づいて、画像データと移動経路データが対応付けられた電子アルバムを作成する。
【００３４】
以上、本発明の具体的実施形態について説明したが、本発明はこれらに限らず種々改変可能である。例えば、画像データおよび旅行者位置情報は、可搬型の記録メディア１２を用いる代わりに、有線または無線で電子アルバム作成システム２に送信するようにしてもよい。この場合、旅行者位置情報および画像データの受信部が、時刻を対応付けた旅行者の位置情報、並びに、撮像時刻または撮像位置を対応付けた複数の画像データを取得する取得部を構成する。作成した電子アルバムを記録メディア３０に記録する代わりに、電子アルバムデータを有線または無線（例えば、インターネット）で外部の端末に送信するようにしてもよい。
【００３５】
さらに、電子アルバムの作成時、旅行者位置情報および画像データを記録メディア１２から読み出す代わりに、予め記録メディア１２から別の記憶部（例えばハードディスク）に保存し、該記憶部に記憶された画像データおよび旅行者位置情報を読み出すようにしてもよい。
【図面の簡単な説明】
【００３６】
【図１】本発明に係る電子アルバム作成システムの実施の形態１を含むシステムを示すブロック図。
【図２】図１の携帯端末のブロック図。
【図３】図１の電子アルバム作成システムのブロック図。
【図４】図３の制御部のブロック図。
【図５】電子アルバムの一例を示す図。
【図６】撮像者情報を入力させるためのモニタ画面。
【図７】本発明に係る電子アルバム作成システムの実施の形態２における制御部のブロック図。
【図８】本発明に係る電子アルバム作成システムの実施の形態２のブロック図。
【符号の説明】
【００３７】
１２  ドライブ装置（取得部）
【図１】
2006164043.tif 000003
【図２】
2006164043.tif 000004
【図３】
2006164043.tif 000005
【図４】
2006164043.tif 000006
【図５】
2006164043.tif 000007
【図６】
2006164043.tif 000008
【図７】
2006164043.tif 000009
【図８】
2006164043.tif 000010